(57)【要約】【課題】既設の陳列棚に後付けすることで、最小の労力で簡単に手早く水平度調整と免震機能の両方を実行する。【解決手段】陳列物を陳列する陳列棚本体の水平度を調整するために取り付けられ、下部に設けた底部ハウジング２２；上部に設けた頭部ハウジング２４；底部ハウジング２２と頭部ハウジング２４とを互いに揺動可能に接続するロッド２３；頭部ハウジング２４に対し軸方向位置を可変に螺合するフランジ２４ａとケース体２５から成る螺合部材；を備えたアジャスタ本体Ｈと、アジャスタ本体Ｈを陳列棚本体の下部に取り付けるブリッジ２８とを有する。【選択図】図５
2009136599.tif 000002
【特許請求の範囲】
【請求項１】
陳列物を陳列する陳列棚本体の水平度を調整するために取り付けられる陳列棚用アジャスタユニットであって、
下部に設けた底部；上部に設けた頭部；前記底部と前記頭部とを互いに揺動可能に接続する接続部材；前記頭部に対し軸方向位置を可変に螺合する螺合部材；を備えたアジャスタ本体と、
前記アジャスタ本体を前記陳列棚本体の下部に取り付ける取り付け部材と
を有することを特徴とする陳列棚用アジャスタユニット。
【請求項２】
請求項１記載の陳列棚用アジャスタユニットにおいて、
前記取り付け部材は、
端部側が、前記陳列棚本体の下部に取り付けられ、
端部と反対側が、前記端部側の前記陳列棚本体への取り付け状態において前記端部よりも上方に位置するとともに、その下部に前記アジャスタ本体の螺合部材の上部が接続される
ことを特徴とする陳列棚用アジャスタユニット。
【請求項３】
請求項２記載の陳列棚用アジャスタユニットにおいて、
前記アジャスタ本体は、前記陳列棚本体の左右方向に対応し左・右２個設けられており、
前記取り付け部材は、
左右方向両端部が、前記陳列棚本体の左・右側壁下部にそれぞれ取り付けられ、
左右方向中央部側が、前記両端部の前記陳列棚本体への取り付け状態において前記両端部よりも上方に位置するとともに、その下部に前記２つのアジャスタ本体の螺合部材の上部がそれぞれ接続される
ことを特徴とする陳列棚用アジャスタユニット。
【請求項４】
請求項３記載の陳列棚用アジャスタユニットにおいて、
前記取り付け部材は、
左右方向両端部のそれぞれが、略Ｌ字形状をそれぞれ備えた前記左・右側壁のうち水平部の下部に潜り込むように取り付けられる
ことを特徴とする陳列棚用アジャスタユニット。
【請求項５】
水平度を調整するための組み込みアジャスタを備え、陳列物を陳列する陳列棚本体と、
前記陳列棚本体の水平度を調整するために前記組み込みアジャスタとは別に取り付けられ、取り付け時には前記組み込みアジャスタの水平度調整機能を無効化しつつ、免震機能を果たす陳列棚用アジャスタユニットと
を有することを特徴とする免震機能付き陳列棚。
【請求項６】
請求項５記載の免震機能付き陳列棚において、
前記陳列棚用アジャスタユニットは、
下部に設けた底部；上部に設けた頭部；前記底部と前記頭部とを互いに揺動可能に接続する接続部材；前記頭部に対し軸方向位置を可変に螺合する螺合部材；を備えたアジャスタ本体と、
前記アジャスタ本体を前記陳列棚本体の下部に取り付ける取り付け部材と
を有することを特徴とする免震機能付き陳列棚。
【発明の詳細な説明】
【技術分野】
【０００１】
本発明は、陳列物を陳列する陳列棚本体の水平度を調整するために取付けられる陳列棚用アジャスタユニット、及びこれを備えた免震機能付き陳列棚に関するものである。
【背景技術】
【０００２】
例えば一般家庭の収納家具類においては、収納容量を確保するために、背高でかつ大型化が進んでいる。この場合、重量が嵩み、特に畳などの柔らかい床面に設置する場合には自重により部分的に沈んで安定性の確保が難しい場合がある。このため、収納家具の最下面にアジャスタを取付けて、水平度を調整して安定性を保つようにしたものが既に知られている（例えば、特許文献１参照）。
【０００３】
【特許文献１】実公昭５８−２９９７０号公報
【発明の開示】
【発明が解決しようとする課題】
【０００４】
ところで、一般に、スーパーやコンビニエンスストアなどの陳列棚では、陳列した多量の商品を収容し、且つ顧客側から見易くするため背高の構成のものが多くなっている。このため、通常、店舗内の陳列棚においても、上記従来技術のようなアジャスタを設け、水平度を調整している。
【０００５】
近年、店舗、特に食料品販売店やコンビニエンスストアでは、災害時のライフラインとしての機能が着目されている。したがって、地震などに遭遇しても陳列品が極力落下しないような、何らかの免震対策が切に望まれている。上記従来技術のアジャスタでは水平度調整機能は備えているものの、このような免震機能までは備えていないため、上記のような近年の要請に応えるには不十分なものであった。また特に、コンビニエンスストアでは２４時間営業等の場合も多く、その場合には非営業時間が存在しないため、営業時間中に最小の労力で簡単に手早く免震対策を行えることが好ましい。
【０００６】
以上の点から、既存の陳列棚に対し後から組み込む（後付けする）ことで、最小の労力で簡単に手早く取り付けられる、免震機能を備えたアジャスタが要望されていた。
【０００７】
本発明の目的は、既設の陳列棚に後付けすることで、最小の労力で簡単に手早く水平度調整と免震機能の両方を実行可能な陳列棚用アジャスタユニット、及び、これを備えた免震機能付き陳列棚を提供することにある。
【課題を解決するための手段】
【０００８】
上記目的を達成するために、第１の発明は、陳列物を陳列する陳列棚本体の水平度を調整するために取り付けられる陳列棚用アジャスタユニットであって、下部に設けた底部；上部に設けた頭部；前記底部と前記頭部とを互いに揺動可能に接続する接続部材；前記頭部に対し軸方向位置を可変に螺合する螺合部材；を備えたアジャスタ本体と、前記アジャスタ本体を前記陳列棚本体の下部に取り付ける取り付け部材とを有することを特徴とする。
【０００９】
第１の発明においては、アジャスタ本体の底部と頭部とが、接続部材によって互いに揺動可能に接続されている。したがって、頭部側と底部側との相対揺動により揺れを吸収可能である。このとき、相対揺動する一方側である頭部には螺合部材が螺合し、これによって螺合部材の軸方向位置が可変に構成されている。
【００１０】
このようなアジャスタ本体を、取り付け部材を介して陳列棚本体の下部に取り付ける。これにより、陳列棚本体に対し複数箇所アジャスタ本体を取り付け、各アジャスタ本体で上記螺合部材の軸方向位置を調整する（＝全体として軸方向に伸び縮みする）ことで、陳列棚本体の水平度を調整することができる。またこのとき、上記のような頭部と底部との相対揺動により揺れを吸収可能であるから、地震等によって陳列棚が地面に対し揺らされた場合であっても、この揺れを吸収し免震機能を果たすことができる。
【００１１】
さらに、上記のような底部、接続部材、頭部、螺合部材からなるアジャスタ本体を陳列棚に設置したい場合には、予め各アジャスタ本体を取付け部材に取付け、この取付け部材をそのまま陳列棚本体の下部に取付ければ足りる。すなわち、陳列棚本体をほとんど動かさずにアジャスタ本体を後から陳列棚本体の下部へ取付けることができる。この結果、例えば販売店の営業時間中等であっても、最小の労力で簡単に手早く免震対策を実行することができる。
【００１２】
第２の発明は、前記第１の発明において、前記取り付け部材は、端部側が、前記陳列棚本体の下部に取り付けられ、端部と反対側が、前記端部側の前記陳列棚本体への取り付け状態において前記端部よりも上方に位置するとともに、その下部に前記アジャスタ本体の螺合部材の上部が接続されることを特徴とする。
【００１３】
第２の発明においては、取り付け部材の端部を陳列棚本体の下部に取付けた状態において、端部と反対側が端部より上方に位置する。これにより、前記アジャスタ本体の螺合部材の上部が接続されることから、アジャスタ本体の水平振動する揺動中心が取り付け部材端部より上方となる。その結果、前記アジャスタ本体が安定支持される。
【００１４】
第３の発明は、上記第２の発明において、前記アジャスタ本体は、前記陳列棚本体の左右方向に対応し左・右２個設けられており、前記取り付け部材は、左右方向両端部が、前記陳列棚本体の左・右側壁下部にそれぞれ取り付けられ、左右方向中央部側が、前記両端部の前記陳列棚本体への取り付け状態において前記両端部よりも上方に位置するとともに、その下部に前記２つのアジャスタ本体の螺合部材の上部がそれぞれ接続されることを特徴とする。
【００１５】
第３の発明においては、アジャスタ本体は、前記陳列棚本体の左右方向に対応して左・右２個設けられている。これにより、水平度の調整が効果的で支持が安定化し、且つ両端部の陳列棚本体への取り付け状態において左右方向中央部側が両端部よりも上方に位置し、その下部には前記２つのアジャスタ本体の螺合部材の上部がそれぞれ接続されているので、陳列棚本体を安定状態で支持することができる。
【００１６】
第４の発明は、前記第３の発明において、前記取り付け部材は、左右方向両端部のそれぞれが、略Ｌ字形状をそれぞれ備えた前記左・右側壁のうち水平部の下部に潜り込むように取り付けられることを特徴とする。
【００１７】
第４の発明においては、取り付け部材の左右方向両端部のそれぞれに略Ｌ字形状を備えている。これにより、取り付け部材を陳列棚本体下部の水平部下部に形成される空間に潜り込むように取り付けることができる。
【００１８】
第５の発明は、水平度を調整するための組み込みアジャスタを備え、陳列物を陳列する陳列棚本体と、前記陳列棚本体の水平度を調整するために前記組み込みアジャスタとは別に取り付けられ、取り付け時には前記組み込みアジャスタの水平度調整機能を無効化しつつ、免震機能を果たす陳列棚用アジャスタユニットとを有することを特徴とする。
【００１９】
第５の発明においては、組み込みアジャスタが既設された陳列棚本体に対し、その組み込みアジャスタとは別に、新たに陳列棚用アジャスタユニットが取り付けられる。このアジャスタユニットは、既設の組み込みアジャスタの水平度調整機能を無効化してこれに代わって自らが水平度の調整を行うとともに、陳列棚が地面に対し揺らされた場合であってもこの揺れを吸収し免震機能を果たすことができる。
【００２０】
またこのとき、アジャスタを陳列棚本体とは別構成のユニット化し、しかもこのアジャスタを取り付けることで既設の組み込みアジャスタの水平度調整機能を無効化するので、組み込みアジャスタを敢えて取り外す必要がない。この結果、最小の労力で簡単に手早く免震対策を実行することができる。
【００２１】
第６の発明は、前記第５の発明において、前記陳列棚用アジャスタユニットは、下部に設けた底部；上部に設けた頭部；前記底部と前記頭部とを互いに揺動可能に接続する接続部材；前記頭部に対し軸方向位置を可変に螺合する螺合部材；を備えたアジャスタ本体と、前記アジャスタ本体を前記陳列棚本体の下部に取り付ける取り付け部材とを有することを特徴とする。
【００２２】
第６の発明においては、アジャスタユニットのアジャスタ本体の底部と頭部とが、接続部材によって互いに揺動可能に接続されている。したがって、頭部側と底部側との相対揺動により揺れを吸収可能である。このとき、相対揺動する一方側である頭部には螺合部材が螺合し、これによって螺合部材の軸方向位置が可変に構成されている。
【００２３】
このようなアジャスタ本体を、取り付け部材を介して陳列棚本体の下部に取り付ける。これにより、陳列棚本体に対し複数箇所アジャスタ本体を取り付け、各アジャスタ本体で上記螺合部材の軸方向位置を調整する（＝全体として軸方向に伸び縮みする）ことで、陳列棚本体の水平度を調整することができる。またこのとき、上記のような頭部と底部との相対揺動により揺れを吸収可能であるから、地震等によって陳列棚が地面に対し揺らされた場合であっても、この揺れを吸収し免震機能を果たすことができる。
【００２４】
さらに、上記のような底部、接続部材、頭部、螺合部材からなるアジャスタ本体を陳列棚に設置したい場合には、予め各アジャスタ本体を取付け部材に取付け、この取付け部材をそのまま陳列棚本体の下部に取付ければ足りる。すなわち、陳列棚本体をほとんど動かさずにアジャスタ本体を後から陳列棚本体の下部へ取付けることができる。この結果、例えば販売店の営業時間中等であっても、最小の労力で簡単に手早く免震対策を実行することができる。
【発明の効果】
【００２５】
本発明によれば、既存の陳列棚に後付けすることで、最小の労力で簡単に手早く水平度調整と免震対策の両方を実行することができる。
【発明を実施するための最良の形態】
【００２６】
以下、本発明の一実施の形態を図面を参照しつつ説明する。
【００２７】
図１は、本実施形態の免震機能付き陳列棚の正面図であり、図２は、図１中II方向から見た一部破断して示す側面図であり、図３は一部破断して示す平面図である。
【００２８】
これら図１〜図３において、陳列棚本体１は、後述する複数の組み込みアジャスタＲによって床面Ｆに水平に支持される略直方体の基台２と、この基台２中央の左右方向に均等に立設した合計３本の右支柱３、中支柱４、左支柱５と、これら支柱３，４，５の上端部間に掛け渡して連結された梁部材６，７と、上記支柱３，４，５を介し上下に所定の間隔毎に配設される複数の棚板８，９，１０，１１とから構成されている。
【００２９】
各支柱３，４，５の両側面に上下方向に沿って形成される複数の係止穴Ｋには、ブラケットＢの一端がそれぞれ係止固定されており、これらブラケットＢには複数の棚板８〜１０両端が堅固に係止固定されている。
【００３０】
基台２は、上記各支柱３，４，５の最下部に係止された図示しない複数のフレームによって平面視矩形状に枠組されている。それら枠組されたフレームの外周には縦、横の覆い板１５，１６が取付けられており、上記覆い板１５，１６上面には、最下段の４枚の棚板１１が取り外し可能に略水平に係止固定されて被されてある。この結果、上記棚板１１の下面には上記覆い板１５，１６によって囲まれる所定の収納空間が形成されている。この収納空間内には、各棚板１１の下側四隅近傍に４個の陳列棚用アジャスタ本体Ｈが配設されており、陳列棚１本体は合計１６個の陳列棚用アジャスタ本体Ｈによって支持されている。
【００３１】
次に、本発明の陳列棚用アジャスタユニットＴに付き、図４〜図６を参照して説明する。図４は陳列棚本体１の下部に設けられたアジャスタ本体Ｔの断面図であり、上記図２のIV部分の拡大図に相当する図である。図５は、アジャスタ本体Ｔの詳細断面図であり、上記図１のＶ部分の拡大図に相当する図である。図６は図５の矢印Ａによる矢視上面図である。
【００３２】
これら図４〜図６において、本実施形態の陳列棚用アジャスタユニットＴは、下部に設けた底部ハウジング２２と、上部に設けた頭部ハウジング２４と、上記底部ハウジング２２と底部ハウジング２２とを互いに揺動可能に接続する接続部材となるロッド２３と、上記頭部ハウジング２４に対し軸方向位置を可変に螺合する有底筒状の螺合部材であるケース体２５とを備えたアジャスタ本体Ｈと、このアジャスタ本体Ｈを陳列棚本体１の下部に取り付ける取り付け部材としてのブリッジ２８とを有している。
【００３３】
頭部ハウジング２４は、上面に螺合部材としてのフランジ２４ａが形成されて、その外周にはケース体２５内壁に螺設された雌ねじＥに螺合する雄ねじＧが螺設されている。頭部ハウジング２４のフランジ２４ａの雄ねじＧをケース体２５内壁に螺合させて、上記頭部ハウジング２４に対し上記ケース体２５を所定方向に回転させることで、頭部ハウジング２４は上記ケース体２５内部に螺進するようになっている（図５参照）。
【００３４】
このとき、ケース体２５は、上面に円形の操作軸２５ａが突設されている。この操作軸２５ａは、その上端面に操作用の六角穴３５（図６参照）が形成され、また取付け部材としてのブリッジ２８の上面から挿通突出するように構成されている。そして、上記操作軸２５ａを上記ブリッジ２８の図示しない取付け孔から挿通し、その上面から突出した上記操作軸２５ａの環状溝にストップリング２６を弾力的に取付けることで、上記ブリッジ２８にケース体２５が支持されている。
【００３５】
ブリッジ２８は、例えば断面コ字形に形成された型鋼板で形成され（図６参照）、その両端部にはＬ字形に折曲形成された取付け部２９が設けられている（図５、図６参照）。そして、上記ブリッジ２８は、上記陳列棚本体１の最下段棚板１１の下面と平行になるように掛け渡され、上記陳列棚本体１下部の左右に設けた横覆い板１６，１６に対し、上記両取付け部２９，２９が取付けられるようになっている（図１、図５参照）。このように、ブリッジ２８の左右方向両端部のそれぞれに略Ｌ字形状の取付け部２９を備えることで、ブリッジ２８を上記陳列棚本体１下部の最下段棚板１１の下面に形成される空間に潜り込むように取り付けることができる。
【００３６】
底部ハウジング２２は、下面に床面Ｆに接地して支持するフランジ２２ａが形成されている。
【００３７】
ロッド２３の上下両端にはそれぞれ略球形凹形状の球形凹部３２が設けられている。頭部ハウジング２４並びに底部ハウジング２２の内部には、上記球形凹部３２に対応した軸受用の球頭部２４ｂ，２２ｂがそれぞれ装填されている。そして、上記球形凹部３２，３２に上記頭部ハウジング２４及び底部ハウジング２２の軸受け用球頭部２４ｂ，２２ｂが摺動可能に挿嵌され、これによって自在継手が構成されている。このようにして、球形凹部３２を備えた自在継手を介し底部ハウジング２２と頭部ハウジング２４とが揺動可能に接続された複数のアジャスタ本体Ｈが、上記ブリッジ２８に取付けられている。
【００３８】
次に、陳列棚用アジャスタユニットＴを陳列棚本体１に取付ける手順の一例を説明する。
【００３９】
まず最初に、ブリッジ２８に複数のケース体２５を取付けて、上記ケース体２５の内部にそれぞれ頭部ハウジング２４を螺合させて、頭部ハウジング２４のフランジ２４ａを上記ケース体２５底面に当接するまで進入した状態としておく。
【００４０】
一方、予め、底部ハウジング２２の球頭部２２ｂを、ロッド２３下端の球形凹部３２へ挿嵌させ、底部ハウジング２２とロッド２３とを一体化させておく。そして、上記ケース体２５の内部に収容された頭部ハウジング２４のフランジ２４ａ下面に圧縮ばねＳの上端を当接させ、その当接させた状態で圧縮ばねＳの下端からその内部に、上記（底部ハウジング２２と一体となった状態の）ロッド２３を挿入し、上端の球形凹部３２へ頭部ハウジング２４の球頭部２４ｂを挿嵌する。これにより、底部ハウジング２２のフランジ２２ａが圧縮ばねＳの付勢力で下方に押圧付勢され、その押圧付勢された状態で、複数のアジャスタ本体Ｈが上記ブリッジ２８の下面に取り付けられる。この作業を繰り返すことで、１つのブリッジ２８につき、陳列棚本体１の左右方向に対応して左・右２個ずつ合計４個のアジャスタ本体Ｈ（図３参照）を取付けることができる。
【００４１】
そして、上記のようにして陳列棚本体１の上記覆い板１５，１６から最下段棚板１１を取り外すことで、アジャスタ本体Ｈを取り付けたブリッジ２８を上方から収納空間内に挿入することができる。挿入されたブリッジ２８両端のＬ字形取付け部２９下端を２個の取付けネジＢにより上記横覆い板１６に取付けることで、１つの陳列棚用アジャスタユニットＴが完成する。この陳列棚用アジャスタユニットＴは、この例では、１つの陳列棚本体１の左右方向に４つ設けられる（図３、図４参照）。
【００４２】
なお、以上のようにして陳列棚用アジャスタユニットＴの取り付けが終わった直後の状態では、陳列棚本体１は複数の組み込みアジャスタＲによって床面Ｆに水平に支持されている（アジャスタユニットＴの底部ハウジング２２の下面は床面Ｆに接地していない）。この状態から、上記ブリッジ２８上面から突出した操作軸２５ａ上端面の操作穴に、例えば六角穴３５にネジ廻し用の工具（六角レンチ）を嵌合し、上記ケース体２５を頭部ハウジング２４に対し所定方向に回転させる。これにより、上記頭部ハウジング２４が下方に移動し、上記底部ハウジング２２を下方に押し下げることで、アジャスタ本体Ｈが下方に伸長する（軸方向寸法が伸びる）。これに従って、アジャスタユニットＴの底部ハウジング２２の下面が床面Ｆに接地し、さらに伸長させていくと陳列棚本体１が上方に移動して、上記組み込みアジャスタＲが浮上し、床面Ｆに対し隙間Ｄが形成される。これにより、既存の組み込みアジャスタＲの水平度調整機能が無効化され、上記陳列棚本体１は個々の陳列棚用アジャスタユニットＴによって水平に支持されることとなる。
【００４３】
以上のようにして、アジャスタユニット本体Ｈを既存の陳列棚本体１の下部に後付けにより取付けることができ、しかもアジャスタ本体の取付け作業を単純化することができる。
【００４４】
以上のように構成した本実施形態によれば、組み込みアジャスタＲが既設された陳列棚本体１に対し、その組み込みアジャスタＲとは別に、新たに陳列棚用アジャスタユニットＴが取り付けられる。このアジャスタユニットＴは、既設の組み込みアジャスタＲの水平度調整機能を無効化してこれに代わって自らが水平度の調整を行うとともに、陳列棚本体１が地面に対し揺らされた場合であってもこの揺れを吸収し免震機能を果たす。
【００４５】
すなわち、アジャスタユニットＴは、アジャスタ本体Ｈの底部ハウジング２２と頭部ハウジング２４とがロッド２３によって互いに揺動可能に接続されている。したがって、頭部ハウジング２４側と底部ハウジング２２側との相対揺動により揺れを吸収可能である。このとき、相対揺動する一方側である頭部ハウジング２４にはケース体２５が螺合し、これによってケース体２５の軸方向位置が可変に構成されている。このようなアジャスタ本体Ｈを、ブリッジ２８を介して陳列棚本体１の下部に取り付ける。そして、上述したように、陳列棚本体１に対し複数箇所取り付けた各アジャスタ本体Ｈのケース体２５の軸方向位置を調整する（＝アジャスタ本体Ｈの全体として軸方向に伸び縮みさせる）ことで、陳列棚本体１の水平度を調整することができる。またこのとき、上記のような頭部ハウジング２４と底部ハウジング２２との相対揺動により揺れを吸収可能であるから、地震等によって陳列棚本体１が地面に対し揺らされた場合であっても、この揺れを吸収し免震機能を果たすことができる。
【００４６】
また、各アジャスタ本体Ｈを陳列棚本体１に設置したい場合には、前述したようにして予め各アジャスタ本体Ｈをブリッジ２８に取付けてアジャスタユニットＴを形成しておき、ブリッジ２８をそのまま陳列棚本体１の下部に取付ければ足りる。すなわち、陳列棚本体１をほとんど動かさずにアジャスタユニットＴを後から陳列棚本体１の下部へ取付けることができる。さらに、アジャスタユニットＴを取り付けることで既設の組み込みアジャスタＲの水平度調整機能を無効化するので、組み込みアジャスタＲを敢えて取り外す必要がない。これらの結果、例えば販売店の営業時間中等であっても、最小の労力で簡単に手早く免震対策を実行することができる。
【００４７】
また、本実施形態では特に、上記ブリッジ２８を上記陳列棚本体１の下部に取付けた状態においては、ブリッジ２８両端部の取付け部２９下端と反対側（すなわち中央側）に位置する、ブリッジ２８のケース体２５を取付ける取付け面が、上記取付け部２９下端より上方に位置する。このことから、上記アジャスタ本体Ｈの水平振動する揺動中心となる上記頭部ハウジング２４内の球頭部２４ｂが、上記ブリッジ２８両端下部の取付け位置より上方となるので、上記アジャスタ本体Ｈが安定支持される。また、上記アジャスタ本体Ｈは、陳列棚本体１の左右方向に対応して左・右２個ずつ設けられている。これにより、水平度の調整が効果的で支持が安定化する効果もある。
【００４８】
なお、その他、一々例示はしないが、本発明は、その趣旨を逸脱しない範囲内において、種々の変更が加えられて実施されるものである。
【図面の簡単な説明】
【００４９】
【図１】本発明の一実施形態の免震機能付き陳列棚の正面図である。
【図２】図１中II方向から見た一部破断して示す側面図である。
【図３】本発明の一実施形態の免震機能付き陳列棚を一部破断して示す平面図である。
【図４】陳列棚本体の下部に設けられたアジャスタ本体の断面図である。
【図５】アジャスタ本体の詳細断面図である。
【図６】図５の矢印Ａによる矢視上面図である。
【符号の説明】
【００５０】
１                陳列棚本体
２２              底部ハウジング（底部）
２３              ロッド（接続部材）
２４              頭部ハウジング（頭部）
２４ａ            フランジ（螺合部材）
２５              ケース体（螺合部材）
２５ａ            操作軸
２８              ブリッジ（取り付け部材）
Ｈ                アジャスタ本体
Ｒ                組み込みアジャスタ
Ｔ                アジャスタユニット
【図１】
2009136599.tif 000003
【図２】
2009136599.tif 000004
【図３】
2009136599.tif 000005
【図４】
2009136599.tif 000006
【図５】
2009136599.tif 000007
【図６】
2009136599.tif 000008